(57)【要約】【課題】安価にできて施工も容易なうえ、画面サイズ等の設計に自由度が生じる大画面表示パネルを提供する。【解決手段】所定ピッチで多数分散配置された画素発光部１３を備えた大画面表示パネルであって、画素発光部１３が所定ピッチＰで列設されて全体として細長い長尺盤状を呈したパネルユニット１２が複数組み合わされて構成され、上記各パネルユニット１２は、幅方向に並べたときに、隣接するパネルユニット１２同士の画素発光部１３間のピッチが上記所定ピッチＰと略等しくなるように形成されている。【選択図】図１
2008281662.tif 000002
【特許請求の範囲】
【請求項１】
所定ピッチで多数分散配置された画素発光部を備えた大画面表示パネルであって、画素発光部が所定ピッチＰで列設されて全体として細長い長尺盤状を呈したパネルユニットが複数組み合わされて構成され、上記各パネルユニットは、幅方向に並べたときに、隣接するパネルユニット同士の画素発光部間のピッチが上記所定ピッチＰと略等しくなるように形成されていることを特徴とする大画面表示パネル。
【請求項２】
上記画素発光部形成面に、各画素発光部と対応する箇所に光透過部が形成されるとともに、表面に文字・絵柄・写真等の情報が表示された情報表示シートが配置されている請求項１記載の大画面表示パネル。
【請求項３】
上記各パネルユニットは、長手方向に並べたときに、隣接するパネルユニットの互いに近接する端部に配置された画素発光部同士の間のピッチが上記所定ピッチＰと略等しくなるように形成されている請求項１または２記載の大画面表示パネル。
【請求項４】
上記パネルユニットは、画素発光部形成面に開口部を有し、上記開口部内にパネルユニットを取り付け面に対して取り付けるための取り付け部材を固定する固定部が設けられている請求項１〜３のいずれか一項に記載の大画面表示パネル。
【請求項５】
上記パネルユニットに形成された画素発光部の列は、８の倍数の画素発光部から構成されている請求項１〜４のいずれか一項に記載の大画面表示パネル。
【請求項６】
所定ピッチで多数分散配置された画素発光部を備えた大画面表示パネルを構成するためのパネルユニットであって、画素発光部が所定ピッチＰで列設されて全体として細長い長尺盤状を呈し、幅方向に並べたときに、隣接するパネルユニット同士の画素発光部間のピッチが上記所定ピッチＰと略等しくなるように形成されていることを特徴とするパネルユニット。
【発明の詳細な説明】
【技術分野】
【０００１】
本発明は、ビル外壁、鉄道沿い、野球場、サッカー場、映画館、高速道路等に設置することができる大画面表示パネルおよびそれに用いるパネルユニットに関するものであり、詳しくは、安価にできて施工も容易なうえ、画面サイズ等の設計に自由度が生じる大画面表示パネルおよびそれに用いるパネルユニットに関するものである。
【背景技術】
【０００２】
従来から、大画面ディスプレイ装置として、大画面マルチカラーＬＥＤディスプレイ装置が開発されている。これは高輝度の青色ＬＥＤ（発光ダイオード）の実用化によって可能となったものであり、小さな寸法のＬＥＤ表示モジュールを縦横に適当に組み合わせることで必要な寸法の大画面を構成するものである。このようなディスプレイ装置では、１つのＬＥＤ表示モジュールには、たとえば８×８＝６４個の画素ＬＥＤ群が一定ピッチで行列配置されている。
【０００３】
ところが、太陽光が当たる屋外などに大画面マルチカラーＬＥＤディスプレイ装置を設置した場合には、周囲が明るすぎるためＬＥＤの光が負けてしまい認識しにくいという問題や太陽光がディスプレイ装置の画面で反射しＬＥＤディスプレイ装置の表示が見えにくいという問題がある。特に、軽量化や低価格化を図るため、画素ＬＥＤ群を分散配置した大画面マルチカラーＬＥＤディスプレイ装置においては、画面全体の平均輝度が低くなり、上記問題はより顕著となる。
【０００４】
そこで、太陽光の下でも有効に宣伝・広告機能を果たすことができるディスプレイ装置として、下記の特許文献１に示すものが開示されている。このディスプレイ装置は、多数のＬＥＤが分散配置されたＬＥＤ表示パネルと、多数の貫通孔が形成されるとともに上記貫通孔以外の部分に文字・図形・写真等を印刷したシートとを備え、上記ＬＥＤ表示パネルのＬＥＤが設けられた面に上記シートを貼設し、各貫通孔からＬＥＤを露出させるようにしたものである。
【特許文献１】特開２００３−３１６２９７号公報
【発明の開示】
【発明が解決しようとする課題】
【０００５】
しかしながら、上記特許文献１記載のディスプレイ装置では、大画面にしようとするとそれだけ大型のＬＥＤ表示パネル自体を製作しなければならず、装置の作成自体に多額の費用がかかり、ＬＥＤ表示パネルの運搬や施工も大掛かりで高価なものになってしまう。また、設置場所の大きさに合わせたＬＥＤ表示パネルをそのたびに設計する必要があり、一品製作となるため、長い製作期間が必要で、やはり製作コストも高くなってしまう。また、天災等の事故によりＬＥＤ表示パネルの一部が破損した場合、最悪は全体を修復しなければならず、メンテナンスコストも高くつくという問題もある。
【０００６】
本発明は、上記のような事情に鑑みなされたもので、安価にできて施工も容易なうえ、画面サイズ等の設計に自由度が生じる大画面表示パネルおよびそれに用いるパネルユニットを提供することをその目的とする。
【課題を解決するための手段】
【０００７】
上記目的を達成するため、本発明の大画面表示パネルは、所定ピッチで多数分散配置された画素発光部を備えた大画面表示パネルであって、画素発光部が所定ピッチＰで列設されて全体として細長い長尺盤状を呈したパネルユニットが複数組み合わされて構成され、上記各パネルユニットは、幅方向に並べたときに、隣接するパネルユニット同士の画素発光部間のピッチが上記所定ピッチＰと略等しくなるように形成されていることを要旨とする。
【０００８】
また、上記目的を達成するため、本発明のパネルユニットは、所定ピッチで多数分散配置された画素発光部を備えた大画面表示パネルを構成するためのパネルユニットであって、画素発光部が所定ピッチＰで列設されて全体として細長い長尺盤状を呈し、幅方向に並べたときに、隣接するパネルユニット同士の画素発光部間のピッチが上記所定ピッチＰと略等しくなるように形成されていることを要旨とする。
【発明の効果】
【０００９】
すなわち、本発明は、画素発光部が所定ピッチＰで列設されて全体として細長い長尺盤状を呈したパネルユニットが複数組み合わされて構成され、上記各パネルユニットは、幅方向に並べたときに、隣接するパネルユニット同士の画素発光部間のピッチが上記所定ピッチＰと略等しくなるように形成されている。このように、パネルユニットを複数組み合わせることにより大画面表示パネルを構成するため、大画面表示パネル自体を安価に作成することができ、運搬および施工が容易である。また、設置場所等に合わせて組み合わせるパネルユニットの数を変更することにより大画面表示パネルの大きさを容易に変更できるため、そのつど設計する必要もなく、容易に大きさの異なる大画面表示パネルを作成することができる。また、細長い長尺盤状のパネルユニットを少しずつ角度を変えて並べることで曲面の表示パネルを容易に施工することもできる。このように、設計の自由度が大幅に高くなり、製作期間も大幅に短縮される。しかも、天災等の事故により大画面表示パネルの一部が破損した場合でも、破損したパネルユニットだけを交換もしくは修復すればよいため、メンテナンスコストも安価になる。
【００１０】
本発明において、上記画素発光部形成面に、各画素発光部と対応する箇所に光透過部が形成されるとともに、表面に文字・絵柄・写真等の情報が表示された情報表示シートが配置されている場合には、昼間は明るく夜間は暗い場所に設置した際に、昼間は画素発光部を発光させずに情報表示シートに表示されている情報を人々に見せて大型ポスターとしての機能を果たすことができ、夜間は画素発光部により光る静止画や動画を表示することができる。このように、１つの装置で昼と夜に周辺環境の影響をあまり受けずに宣伝・広告等の情報表示を行うことができる。また、昼と夜で別の情報を発信することも可能となり、昼と夜で通行人の属性が異なる場所等ではその属性に合わせた効果的な情報発信が可能となる。
【００１１】
本発明において、上記各パネルユニットは、長手方向に並べたときに、隣接するパネルユニットの互いに近接する端部に配置された画素発光部同士の間のピッチが上記所定ピッチＰと略等しくなるように形成されている場合には、パネルユニットを幅方向に並べるだけでなく、長手方向にも並べることにより大画面表示パネルを構成することができることから、より安価に大画面表示パネルを製作することができ、設計の自由度もより高くなるうえ、メンテナンスコストもより安価になる。
【００１２】
本発明において、上記パネルユニットは、画素発光部形成面に開口部を有し、上記開口部内にパネルユニットを取り付け面に対して取り付けるための取り付け部材を固定する固定部が設けられている場合には、取り付け面に対してパネルユニットを取り付ける際に、画素発光部形成面側から取り付け作業を行なうことができることから、施工作業が楽にかつ確実に行なえる。
【００１３】
本発明において、上記パネルユニットに形成された画素発光部の列は、８の倍数の画素発光部から構成されている場合には、コンピュータ装置から出力される静止画や動画のデータを画素発光部の点灯または点滅に変換する際、８ビットで計算されるデータの変換を容易に行なうことができ、極めて使い勝手がよくなる。
【発明を実施するための最良の形態】
【００１４】
つぎに、本発明を実施するための最良の形態を説明する。
【００１５】
図１は、本発明が適用された大画面表示パネルの一実施形態を示す図である。
【００１６】
この大画面表示パネルは、画素発光部１３が所定ピッチで多数分散配置されたディスプレイユニット１０と、上記ディスプレイユニット１０の表面すなわち画素発光部１３形成面に配置される情報表示シート１１とを備えて構成されている。
【００１７】
上記ディスプレイユニット１０は、画素発光部１３が所定ピッチＰで列設されて全体として細長い長尺盤状を呈したパネルユニットが複数組み合わされて構成されている。この例では、パネルユニット１２の長手方向に２つのパネルユニット１２が並べられ、幅方向に１３のパネルユニット１２が並べられ、合計２６のパネルユニット１２が縦横に並べられて１つのディスプレイユニット１０が構成されている。
【００１８】
図２は、上記パネルユニット１２を示す図である。
【００１９】
上記パネルユニット１２は、正面視で長方形状を呈し、画素発光部１３が長手方向に沿って所定ピッチＰ（画素発光部１３の中心同士の距離）で列設されている。この例では、画素発光部１３による発光部列１７が２列形成されており、画素発光部１３の列同士の間隔も上記所定ピッチＰと等しくなるよう設定されている。
【００２０】
また、発光部列１７を構成する画素発光部１３の中心とパネルユニット１２の長辺端面との距離は、１／２Ｐになるよう設定されている。これにより、上記パネルユニット１２を幅方向に並べたときに、隣接するパネルユニット１２同士の画素発光部１３間のピッチが上記所定ピッチＰと略等しくなるように構成されている。
【００２１】
さらに、発光部列１７の列端に存在する画素発光部１３の中心とパネルユニット１２の短辺の端面との距離も１／２Ｐになるよう設定されている。これにより、上記各パネルユニット１２を長手方向に並べたときに、隣接するパネルユニット１２の互いに近接する端部に配置された画素発光部１３同士の間のピッチが上記所定ピッチＰと略等しくなるように構成されている。
【００２２】
上記画素発光部１３は、この例では、４つのＬＥＤ発光体１５ａ，１５ｂ，１５ｃから構成されている。すなわち、図示の左右に配置された２つの赤色（Ｒ）ＬＥＤ発光体１５ａと、図示の下側に配置された青色（Ｂ）ＬＥＤ発光体１５ｂと、図示の上側に配置された緑色（Ｇ）ＬＥＤ発光体１５ｃから構成されている。
【００２３】
上記パネルユニット１２に形成された画素発光部１３による発光部列１７は、８の倍数の画素発光部１３から構成するのが好ましい。この例では、１つの発光部列１７を８個の画素発光部１３から構成した。
【００２４】
このようなパネルユニット１２を縦横に並べて配置すると、長方形で大画面のディスプレイユニット１０が構成され、画素発光部１３は縦横にそれぞれ所定の等ピッチＰで分散配列される。ここで、上記所定ピッチＰは、画素発光部１３の直径Ｄの２倍以上８倍以下程度に設定するのが好ましい。ピッチＰが画素発光部１３の直径Ｄの２倍未満では、情報表示シート１１における絵柄等の情報を表示できる面積が小さくなりすぎて明るいところでの見栄えが悪くなり、ピッチＰが画素発光部１３の直径Ｄの８倍を超えると、画素発光部１３同士の間隔が大きくなりすぎて静止画や動画の画素が粗くなって暗いところでの見栄えが悪くなるからである。
【００２５】
図３は、上記ディスプレイユニット１０に情報表示シート１１を重ねて貼着した状態を示す一部断面図である。
【００２６】
上記情報表示シート１１は、上記ディスプレイユニット１０と略同じ大きさ寸法の長方形状のシート材であり、上記ディスプレイユニット１０の画素発光部１３の形成面に重なるよう剥離可能に貼着され、ディスプレイユニット１０の表面を情報表示シート１１で覆うようにしている。
【００２７】
そして、上記情報表示シート１１には、ディスプレイユニット１０に重ねられた状態で、各画素発光部１３に対応する箇所に光透過部１４が形成されている。この例では光透過部１４は、画素発光部１３の直径Ｄと略同じ直径Ｄの開口として形成されている。また、上記情報表示シート１１には、表面に文字・絵柄・写真等の情報が表示されている。上記文字・絵柄・写真等の情報は、開口として形成された光透過部１４以外の部分に印刷等により表示されている。
【００２８】
このようにすることにより、明るいところでは、情報表示シート１１に表示された文字・絵柄・写真等の情報が目視でき、暗くなって情報表示シート１１の情報が目視できなくなると、画素発光部１３を点灯したり点滅したりして光による静止画・動画・文字等の情報を表示することができる。上記光による静止画・動画・文字等の情報は、コンピュータ装置から画像データ等のデータを各ＬＥＤ発光体１５ａ，１５ｂ，１５ｃの点灯もしくは点滅データに変換したデータを入力することにより表示することができる。また、情報表示シート１１は異なる絵柄のものに交換することも可能である。
【００２９】
図４は、上記パネルユニット１２の内部構造を説明するための断面図であり、（Ａ）はパネルユニット１２のＡ−Ａ断面図、（Ｂ）は後述するカバープレート２４のＢ−Ｂ断面図である。
【００３０】
上記パネルユニット１２は、画素発光部１３を構成するＬＥＤ発光体１５ａ，１５ｂ，１５ｃ（図では１５ｃは隠れて見えない）が搭載された基板２２を収容するケーシング２３と、上記ケーシング２３の画素発光部１３側をカバーするカバープレート２４とを備えて構成されている。上記カバープレート２４には、ＬＥＤ発光体１５ａ，１５ｂ，１５ｃを表面に露呈させるための開口部２５が形成されている。
【００３１】
また、上記パネルユニット１２の画素発光部１３形成面に存在するカバープレート２４には開口部１６が形成されている。上記開口部１６は、パネルユニット１２の長手方向の両端部近傍に１つずつ形成されている。そして、ケーシング２３の上記開口部１６に対応する部分、すなわち上記開口部１６内に、パネルユニット１２を取り付け面１８に対して取り付けるための取り付け部材としてのボルト２０を固定する固定部１９が設けられている。そして、上記ボルト２０とナット２１により、パネルユニット１２が取り付け面１８に対して固定される。
【００３２】
より詳しく説明すると、上記ケーシング２３には、２列の発光部列１７に対応するよう幅方向に並ぶ２つの基板収容部２６が形成されている。そして、上記２つの基板収容部２６に挟まれた領域に上記開口部１６および固定部１９が形成されている。これにより、基板２２やカバープレート２４を取り外すことなく、パネルユニット１２の前面（画素発光部１３形成面）側から直接ボルト２０を挿入してその固定操作を行なうことができる。
【００３３】
以上のように、本実施形態の大画面表示パネルによれば、パネルユニット１２を複数組み合わせることにより大画面表示パネルを構成するため、大画面表示パネル自体を安価に作成することができ、運搬および施工が容易である。また、設置場所等に合わせて組み合わせるパネルユニット１２の数を変更することにより大画面表示パネルの大きさを容易に変更できるため、そのつど設計する必要もなく、容易に大きさの異なる大画面表示パネルを作成することができる。また、細長い長尺盤状のパネルユニット１２を少しずつ角度を変えて並べることで曲面の表示パネルを容易に施工することもできる。このように、設計の自由度が大幅に高くなり、製作期間も大幅に短縮される。しかも、天災等の事故により大画面表示パネルの一部が破損した場合でも、破損したパネルユニット１２だけを交換もしくは修復すればよいため、メンテナンスコストも安価になる。
【００３４】
また、上記画素発光部１３形成面に、各画素発光部１３と対応する箇所に光透過部１４が形成されるとともに、表面に文字・絵柄・写真等の情報が表示された情報表示シート１１が配置されているため、昼間は明るく夜間は暗い場所に設置した際に、昼間は画素発光部１３を発光させずに情報表示シート１１に表示されている情報を人々に見せて大型ポスターとしての機能を果たすことができ、夜間は画素発光部１３により光る静止画や動画を表示することができる。このように、１つの装置で昼と夜に周辺環境の影響をあまり受けずに宣伝・広告等の情報表示を行うことができる。また、昼と夜で異なる種類の情報を発信することも可能となり、昼と夜で通行人の属性が異なる場所等ではその属性に合わせた効果的な情報発信が可能となる。
【００３５】
また、上記各パネルユニット１２は、長手方向に並べたときに、隣接するパネルユニット１２の互いに近接する端部に配置された画素発光部１３同士の間のピッチが上記所定ピッチＰと略等しくなるように形成されているため、パネルユニット１２を幅方向に並べるだけでなく、長手方向にも並べることにより大画面表示パネルを構成することができることから、より安価に大画面表示パネルを製作することができ、設計の自由度もより高くなるうえ、メンテナンスコストもより安価になる。
【００３６】
また、上記パネルユニット１２は、画素発光部１３形成面に開口部１６を有し、上記開口部１６内にパネルユニット１２を取り付け面１８に対して取り付けるためのボルト２０を固定する固定部１９が設けられているため、取り付け面１８に対してパネルユニット１２を取り付ける際に、画素発光部１３形成面側から取り付け作業を行なうことができることから、施工作業が楽にかつ確実に行なえる。
【００３７】
また、上記パネルユニットに形成された画素発光部１３の列は、８の倍数の画素発光部１３から構成されているため、コンピュータ装置から出力される静止画や動画のデータを画素発光部１３の点灯または点滅に変換する際、８ビットで計算されるデータの変換を容易に行なうことができ、極めて使い勝手がよくなる。
【００３８】
本発明は、上記実施形態に限定するものではなく、下記の各変形例を包含する趣旨である。
【００３９】
上記実施形態では、１つの発光部列１７を８個の画素発光部１３から構成したが、８の倍数であればよく、例えば、１６個の画素発光部１３から１つの発光部列１７を形成してもよいし、もちろん２４個や３２個でもよく、それ以上の８の倍数でもよい。
【００４０】
上記実施形態では、光透過部１４を画素発光部１３の直径Ｄと略同じ直径Ｄの開口として形成したが、これに限定するものではなく、例えば、画素発光部１３の直径Ｄと略同じ直径Ｄの透明部とすることもできる。
【００４１】
上記実施形態では、パネルユニット１２を縦横に並べて１つのディスプレイユニット１０を構成した例を示したが、パネルユニット１２をもう少し長尺にして多数の画素発光部１３で発光部列１７を形成し、パネルユニット１２を幅方向だけに並べて１つのディスプレイユニット１０を構成するようにしてもよい。
【００４２】
上記実施形態では、１つのディスプレイユニット１０に対して１枚の情報表示シート１１を貼着するようにしたが、これに限定するものではなく、情報表示シート１１を複数（例えば２枚）に分割して製作し、２枚の情報表示シート１１でディスプレイユニット１０の画素発光部１３の形成面を覆うようにしてもよい。
【００４３】
上記実施形態では、ディスプレイユニット１０に対して情報表示シート１１を貼着するようにしたが、これに限定するものではなく、情報表示シート１１をアクリル板等から形成してディスプレイユニット１０の前面に設けたフレームにはめ込んで配置するようにしてもよい。
【００４４】
上記実施形態では、パネルユニット１２を平面状に配置して平面の大画面表示装置を形成した例を示したが、パネルユニット１２を凹面状に配置したり、凸面状に配置したりすることもでき、設置場所の状況に合わせて曲面状の大画面表示装置を形成することも可能である。
【００４５】
上述したような大画面表示パネルは、例えば、ビル外壁、鉄道沿い、野球場、サッカー場、映画館、高速道路等に設置することができる。また、トラックの荷台コンテナの左右面や天井面に取り付けて広告・宣伝等に利用することができる。
【図面の簡単な説明】
【００４６】
【図１】本発明の一実施形態の大画面表示パネルを示す分解図である。
【図２】パネルユニットを示す図であり、（Ａ）は正面図、（Ｂ）は画素発光部を示す拡大図である。
【図３】上記大画面表示パネルを示す一部断面図である。
【図４】上記パネルユニットを示す断面図である。
【符号の説明】
【００４７】
１０：ディスプレイユニット
１１：情報表示シート
１２：パネルユニット
１３：画素発光部
１４：光透過部
１５ａ，１５ｂ，１５ｃ：ＬＥＤ発光体
１６：開口部
１７：発光部列
１８：取り付け面
１９：固定部
２０：ボルト
２１：ナット
２２：基板
２３：ケーシング
２４：カバープレート
２５：開口部
２６：基板収容部
【図１】
2008281662.tif 000003
【図２】
2008281662.tif 000004
【図３】
2008281662.tif 000005
【図４】
2008281662.tif 000006